(57)【要約】      （修正有）【課題】  顧客が患っている疾病と市販されている一般薬との間の副作用に関する情報を提供するためのサーバコンピュータを提供する。【解決手段】  ユーザ側に設けられた情報処理端末が接続され、薬の副作用情報を提供するサーバコンピュータであって、前記情報処理端末から、ユーザの指定した疾病を取得する、疾病取得手段と、ユーザの指定した一般薬の薬効を取得する、一般薬薬効取得手段と、その薬効をもたらす成分名を保持する、薬効成分名保持手段と、前記薬効成分名保持手段を検索して、一般薬の薬効をもたらす成分名を特定する、薬効成分名特定手段と、その疾病に対して副作用のある一般薬の成分名を保持する、副作用情報保持手段と、一般薬の成分名が、前記疾病取得手段で取得した疾病に対して副作用のある成分名として保持されているかどうかを判断する、副作用判断手段と、判断した結果を出力する、判断結果出力手段とを備えている。【選択図】  図１
2006215973.tif 000002
【特許請求の範囲】
【請求項１】
ユーザ側に設けられた情報処理端末が接続され、薬の副作用情報を提供するサーバコンピュータであって、
前記情報処理端末から、ユーザの指定した疾病を取得する、疾病取得手段と、
前記情報処理端末から、ユーザの指定した一般薬の薬効を取得する、一般薬薬効取得手段と、
複数の一般薬の薬効について、その薬効をもたらす成分名を保持する、薬効成分名保持手段と、
前記一般薬薬効取得手段で取得した一般薬の薬効に基づいて、前記薬効成分名保持手段を検索して、前記一般薬薬効取得手段で取得した一般薬の薬効をもたらす成分名を特定する、薬効成分名特定手段と、
複数の疾病について、その疾病に対して副作用のある一般薬の成分名を保持する、副作用情報保持手段と、
前記副作用情報保持手段を検索して、前記薬効成分名特定手段で特定した一般薬の成分名が、前記疾病取得手段で取得した疾病に対して副作用のある成分名として保持されているかどうかを判断する、副作用判断手段と、
前記副作用判断手段で判断した結果を出力する、判断結果出力手段と、
を備えることを特徴とするサーバコンピュータ。
【請求項２】
複数の一般薬について、その一般薬の薬効と、その一般薬の名称と、その一般薬に含まれている成分名を保持する、一般薬成分名保持手段と、
前記副作用判断手段で副作用のある成分名があると判断した場合に、前記一般薬成分名保持手段を検索して、前記一般薬薬効取得手段で取得した薬効を有し、且つ、前記疾病取得手段で取得した疾病に対して副作用のある成分名として前記副作用情報保持手段に保持されている成分名を含んでいない、一般薬を検索する、一般薬検索手段と、
前記一般薬検索手段で検索された一般薬の名称を、出力する、一般薬名称出力手段と、
をさらに備えることを特徴とする請求項１に記載のサーバコンピュータ。
【請求項３】
前記副作用判断手段で副作用のある成分名があると判断した場合に、前記副作用情報保持手段を検索し、前記疾病取得手段で取得した疾病に対して副作用のある成分として保持されている、成分名を取得する、副作用成分名取得手段と、
前記副作用成分名取得手段で取得した成分名を出力する、副作用成分名出力手段を、さらに備えることを特徴とする請求項１又は請求項２に記載のサーバコンピュータ。
【請求項４】
複数の疾病の一覧を、前記情報処理端末に送信する、疾病一覧送信手段をさらに備えており、
ユーザは、前記情報処理端末を用いて、前記サーバコンピュータから送信された疾病の一覧の中から疾病を指定することを特徴とする請求項１乃至請求項３のいずれかに記載のサーバコンピュータ。
【請求項５】
複数の薬効の一覧を、前記情報処理端末に送信する、薬効一覧送信手段をさらに備えており、
ユーザは、前記情報処理端末を用いて、前記サーバコンピュータから送信された薬効の一覧の中から薬効を指定することを特徴とする請求項１乃至請求項４のいずれかに記載のサーバコンピュータ。
【請求項６】
前記副作用判断手段で、前記薬効成分名特定手段で特定した一般薬の成分名が、前記疾病取得手段で取得した疾病に対して副作用のある成分名として、前記副作用情報保持手段に保持されていないと判断した場合には、副作用が無い旨を、前記情報処理端末に送信する、第１結果送信手段を、さらに備えることを特徴とする請求項１乃至請求項５のいずれかに記載のサーバコンピュータ。
【請求項７】
前記副作用判断手段で、前記薬効成分名特定手段で特定した一般薬の成分名が、前記疾病取得手段で取得した疾病に対して副作用のある成分名として。前記副作用情報保持手段に保持されていると判断した場合には、副作用のある可能性がある旨を、前記情報処理端末に送信する、第２結果送信手段を、さらに備えることを特徴とする請求項１乃至請求項６のいずれかに記載のサーバコンピュータ。
【請求項８】
前記薬効成分保持手段には、流通している一般薬において、その薬効を有するとして含まれている可能性のあるすべての成分名が保持されている、ことを特徴とする請求項１乃至請求項７のいずれかに記載のサーバコンピュータ。
【請求項９】
ユーザ側に設けられた情報処理端末が接続されて、薬の副作用情報を提供するとともに、
複数の一般薬の薬効について、その薬効をもたらす成分名を保持する、薬効成分名保持手段と、
複数の疾病について、その疾病に対して副作用のある一般薬の成分名を保持する、副作用情報保持手段と、
を備えるサーバコンピュータの制御方法であって、
前記サーバコンピュータが、前記情報処理端末から、ユーザの指定した疾病を取得するステップと、
前記サーバコンピュータが、前記情報処理端末から、ユーザの指定した一般薬の薬効を取得するステップと、
前記薬効成分名保持手段を検索して、ユーザの指定した薬効をもたらす成分名を特定するステップと、
前記副作用情報保持手段を検索して、前記特定した一般薬の成分名が、ユーザの指定した疾病に対して副作用のある成分名として、前記副作用情報保持手段に保持されているかどうかを判断するステップと、
前記判断した結果を出力するステップと、
を備えることを特徴とするサーバコンピュータの制御方法。
【請求項１０】
ユーザ側に設けられた情報処理端末が接続されて、薬の副作用情報を提供するとともに、
複数の一般薬の薬効について、その薬効をもたらす成分名を保持する、薬効成分名保持手段と、
複数の疾病について、その疾病に対して副作用のある一般薬の成分名を保持する、副作用情報保持手段と、
を備えるサーバコンピュータを制御するためのプログラムであって、
前記サーバコンピュータが、前記情報処理端末から、ユーザの指定した疾病を取得するステップと、
前記サーバコンピュータが、前記情報処理端末から、ユーザの指定した一般薬の薬効を取得するステップと、
前記薬効成分名保持手段を検索して、ユーザの指定した薬効をもたらす成分名を特定するステップと、
前記副作用情報保持手段を検索して、前記特定した一般薬の成分名が、ユーザの指定した疾病に対して副作用のある成分名として、前記副作用情報保持手段に保持されているかどうかを判断するステップと、
前記判断した結果を出力するステップと、
をサーバコンピュータに実行させるためのプログラム。
【請求項１１】
ユーザ側に設けられた情報処理端末が接続されて、薬の副作用情報を提供するとともに、
複数の一般薬の薬効について、その薬効をもたらす成分名を保持する、薬効成分名保持手段と、
複数の疾病について、その疾病に対して副作用のある一般薬の成分名を保持する、副作用情報保持手段と、
を備えるサーバコンピュータを制御するためのプログラムが記録された記録媒体であって、
前記サーバコンピュータが、前記情報処理端末から、ユーザの指定した疾病を取得するステップと、
前記サーバコンピュータが、前記情報処理端末から、ユーザの指定した一般薬の薬効を取得するステップと、
前記薬効成分名保持手段を検索して、ユーザの指定した薬効をもたらす成分名を特定するステップと、
前記副作用情報保持手段を検索して、前記特定した一般薬の成分名が、ユーザの指定した疾病に対して副作用のある成分名として、前記副作用情報保持手段に保持されているかどうかを判断するステップと、
前記判断した結果を出力するステップと、
をサーバコンピュータに実行させるためのプログラムが記録された記録媒体。
【発明の詳細な説明】
【技術分野】
【０００１】
本発明は、サーバコンピュータに関し、特に、顧客が患っている疾病と市販されている一般薬との間の副作用に関する情報を提供するためのサーバコンピュータに関する。
【背景技術】
【０００２】
数多くの人々が、高血圧や緑内障などの疾病を患っている現在でも、カゼなどをひいた場合などは、薬局や薬店で市販されている一般薬を購入するのが現実である。このとき、顧客が自らの疾病に対する処方薬を服用しているか否かに拘わらず、顧客自身の疾病と一般薬に含まれている成分との間にある副作用が無視できなくなってきている。このため、一般薬を扱う薬局や薬店でも、副作用に関する情報を正しく顧客に表示し、安全な一般薬を販売することが求められている。
【発明の開示】
【発明が解決しようとする課題】
【０００３】
しかし、これまでは、薬局や薬店では、疾病に対する一般薬の副作用に関する情報を、顧客と対面しながら検索することはできなかった。また、書籍などを用いて副作用を調べる場合でも、一般薬の成分を特定するためには、商品である一般薬の箱や袋を開封し、中に入っている説明書を見る必要があり、商品としての価値が低下する問題があった。
【０００４】
そこで本発明は、前記課題に鑑みてなされたものであり、顧客が患っている疾病と市販されている一般薬との間の副作用に関する情報を提供するためのサーバコンピュータを提供することを目的とする。
【課題を解決するための手段】
【０００５】
上記課題を解決するため、本発明に係るサーバコンピュータは、
ユーザ側に設けられた情報処理端末が接続され、薬の副作用情報を提供するサーバコンピュータであって、
前記情報処理端末から、ユーザの指定した疾病を取得する、疾病取得手段と、
前記情報処理端末から、ユーザの指定した一般薬の薬効を取得する、一般薬薬効取得手段と、
複数の一般薬の薬効について、その薬効をもたらす成分名を保持する、薬効成分名保持手段と、
前記一般薬薬効取得手段で取得した一般薬の薬効に基づいて、前記薬効成分名保持手段を検索して、前記一般薬薬効取得手段で取得した一般薬の薬効をもたらす成分名を特定する、薬効成分名特定手段と、
複数の疾病について、その疾病に対して副作用のある一般薬の成分名を保持する、副作用情報保持手段と、
前記副作用情報保持手段を検索して、前記薬効成分名特定手段で特定した一般薬の成分名が、前記疾病取得手段で取得した疾病に対して副作用のある成分名として保持されているかどうかを判断する、副作用判断手段と、
前記副作用判断手段で判断した結果を出力する、判断結果出力手段と、
を備えることを特徴とする。
【０００６】
本発明に係るサーバコンピュータの制御方法は、
ユーザ側に設けられた情報処理端末が接続されて、薬の副作用情報を提供するとともに、
複数の一般薬の薬効について、その薬効をもたらす成分名を保持する、薬効成分名保持手段と、
複数の疾病について、その疾病に対して副作用のある一般薬の成分名を保持する、副作用情報保持手段と、
を備えるサーバコンピュータの制御方法であって、
前記サーバコンピュータが、前記情報処理端末から、ユーザの指定した疾病を取得するステップと、
前記サーバコンピュータが、前記情報処理端末から、ユーザの指定した一般薬の薬効を取得するステップと、
前記薬効成分名保持手段を検索して、ユーザの指定した薬効をもたらす成分名を特定するステップと、
前記副作用情報保持手段を検索して、前記特定した一般薬の成分名が、ユーザの指定した疾病に対して副作用のある成分名として、前記副作用情報保持手段に保持されているかどうかを判断するステップと、
前記判断した結果を出力するステップと、
を備えることを特徴とする。
【０００７】
本発明に係るプログラムは、
ユーザ側に設けられた情報処理端末が接続されて、薬の副作用情報を提供するとともに、
複数の一般薬の薬効について、その薬効をもたらす成分名を保持する、薬効成分名保持手段と、
複数の疾病について、その疾病に対して副作用のある一般薬の成分名を保持する、副作用情報保持手段と、
を備えるサーバコンピュータを制御するためのプログラムであって、
前記サーバコンピュータが、前記情報処理端末から、ユーザの指定した疾病を取得するステップと、
前記サーバコンピュータが、前記情報処理端末から、ユーザの指定した一般薬の薬効を取得するステップと、
前記薬効成分名保持手段を検索して、ユーザの指定した薬効をもたらす成分名を特定するステップと、
前記副作用情報保持手段を検索して、前記特定した一般薬の成分名が、ユーザの指定した疾病に対して副作用のある成分名として、前記副作用情報保持手段に保持されているかどうかを判断するステップと、
前記判断した結果を出力するステップと、
をサーバコンピュータに実行させることを特徴とする。
【０００８】
本発明に係る記録媒体は、
ユーザ側に設けられた情報処理端末が接続されて、薬の副作用情報を提供するとともに、
複数の一般薬の薬効について、その薬効をもたらす成分名を保持する、薬効成分名保持手段と、
複数の疾病について、その疾病に対して副作用のある一般薬の成分名を保持する、副作用情報保持手段と、
を備えるサーバコンピュータを制御するためのプログラムが記録された記録媒体であって、
前記サーバコンピュータが、前記情報処理端末から、ユーザの指定した疾病を取得するステップと、
前記サーバコンピュータが、前記情報処理端末から、ユーザの指定した一般薬の薬効を取得するステップと、
前記薬効成分名保持手段を検索して、ユーザの指定した薬効をもたらす成分名を特定するステップと、
前記副作用情報保持手段を検索して、前記特定した一般薬の成分名が、ユーザの指定した疾病に対して副作用のある成分名として、前記副作用情報保持手段に保持されているかどうかを判断するステップと、
前記判断した結果を出力するステップと、
をサーバコンピュータに実行させるためのプログラムが記録されたことを特徴とする。
【発明の効果】
【０００９】
本発明によれば、顧客が患っている疾病と市販されている一般薬との間の副作用に関する情報を提供するためのサーバコンピュータを提供することができる。
【発明を実施するための最良の形態】
【００１０】
本実施形態に係る薬の副作用情報提供システムは、例えば薬局や薬店において、様々な疾病を持つ顧客に対して、疾病以外の症状により顧客が購入しようとしている一般薬と、顧客自身の疾病との間の副作用に関する情報を提供できるようにするものである。そしてこれにより、副作用のない安全な一般薬を販売することができるようにしたものである。より詳しくを、以下に説明する。
【００１１】
図１は、本実施形態に係る薬の副作用情報提供システム１０の全体構成の一例を説明する図である。この図１に示すように、本実施形態に係る薬の副作用情報提供システム１０は、サーバコンピュータ２０と、このサーバコンピュータ２０にネットワーク（例えば、インターネット）３０を介して接続された情報処理端末４０とを備えて構成されている。
【００１２】
本実施形態においては、サーバコンピュータ２０は、この薬の副作用情報提供システム１０のサービスを提供するサービス提供企業の内部に設けられている。情報処理端末４０は、この薬の副作用情報提供システム１０を利用するユーザである薬局又は薬店の内部に設けられている。この情報処理端末４０の台数は任意であり、本実施形態では、複数の異なる薬局又は薬店に設けられた情報処理端末４０が、適宜、ネットワーク３０を介してサーバコンピュータ２０に接続される利用形態を想定している。
【００１３】
図２は、本実施形態に係るサーバコンピュータ２０の内部構成の一例を示す図である。この図２に示すように、本実施形態に係るサーバコンピュータ２０は、本体部５０と、この本体部５０に接続された表示画面５２とを備えて構成されている。
【００１４】
本体部５０は、ＣＰＵ（Central Processing Unit）５４と、ＲＡＭ（Random Access Memory）５６と、ＲＯＭ（Read Only Memory）５８とを備えており、これらは内部バス６０を介して相互に接続されている。また、内部バス６０は、インターフェース６２を介してハードディスク６４に接続されており、インターフェース６６を介して、前述の表示画面５２に接続されている。
【００１５】
図３は、本実施形態に係る情報処理端末４０の内部構成の一例を示す図である。この図３に示すように、本実施形態に係る情報処理端末４０は、本体部７０と、この本体部７０に接続されたディスプレイ７２とを備えて構成されている。
【００１６】
本体部７０は、ＣＰＵ（Central Processing Unit）７４と、ＲＡＭ（Random Access Memory）７６と、ＲＯＭ（Read Only Memory）７８とを備えており、これらは内部バス８０を介して相互に接続されている。また、内部バス８０は、インターフェース８２を介してハードディスク８４に接続されており、インターフェース８６を介して、前述のディスプレイ７２に接続されている。
【００１７】
この情報処理端末４０は、例えば、ディスクトップパソコンや、ノートパソコン、ＰＤＡ（Personal Digital Assistant）端末、携帯電話などから構成することができる。
【００１８】
次に、本実施形態に係る薬の副作用情報提供システム１０で実行される薬の副作用検索のための処理について説明する。
【００１９】
図４及び図５は、本実施形態に係るサーバコンピュータ２０及び情報処理端末４０で実行される薬の副作用検索のための処理内容を説明するフローチャートを示す図である。この処理は、情報処理端末４０においては、ＲＯＭ７８又はハードディスク８４に格納されているプログラムを、ＣＰＵ７４が読み込んで実行することにより実現される処理である。本実施形態においては、この処理は、ユーザが、情報処理端末４０に薬の副作用の検索を指示した場合に起動されることを想定している。
【００２０】
一方、サーバコンピュータ２０においては、ＲＯＭ５８又はハードディスク６４に格納されているプログラムを、ＣＰＵ５４が読み込んで実行することにより実現される処理である。サーバコンピュータ２０では、この処理が定常的に実行されており、情報処理端末４０からの要求に基づいて随時遂行される処理である。
【００２１】
まず、図４に示すように、情報処理端末４０は、サーバコンピュータ２０に、メイン画面の要求を送信する（ステップＳ１０）。これを受けたサーバコンピュータ２０は、メイン画面を情報処理端末４０に送信する（ステップＳ１２）。
【００２２】
情報処理端末４０では、この受信したメイン画面を表示画面７２に表示する（ステップＳ１４）。図６は、このとき、情報処理端末４０の表示画面７２に表示されるメイン画面Ｗ１０の一例を示す図である。
【００２３】
また、図４に示すように、上述したステップＳ１２に続いて、サーバコンピュータ２０は、このサーバコンピュータ２０がデータとして保持している疾病名の一覧を、情報処理端末４０に送信する（ステップＳ１６）。
【００２４】
図７は、本実施形態に係る疾病名一覧テーブルＴＢ１０の一例を示す図である。この図７に示す疾病名一覧テーブルＴＢ１０は、サーバコンピュータ２０のハードディスク６４に格納されている。したがって、このステップＳ１６においては、サーバコンピュータ２０は、ハードディスク６４に格納されている疾病名一覧テーブルＴＢ１０を検索し、この疾病名一覧テーブルＴＢ１０に保持されている疾病名を一覧形式にして、情報処理端末４０に送信する。
【００２５】
次に、図４に示すように、情報処理端末４０では、この受信した疾病名の一覧を、表示画面７２に表示して、ユーザに顧客の疾病を選択させる（ステップＳ１８）。図８は、このステップＳ１８で表示画面７２に表示される疾病名一覧画面Ｗ２０の一例を示す図である。この図８に示すように、この疾病名一覧画面Ｗ２０には、ステップＳ１６で送信された疾病名の一覧が表示されるので、ユーザは、その中から、顧客が患っていると言った疾病名を探し出し、対応する選択ボックスをチェックする。この疾病名の選択は、１つの場合もあるし、複数の場合もある。すなわち、顧客が複数の疾病を患っていると言った場合には、この選択はそれに応じて複数になる。ここでは、例えば、ユーザにより「胃潰瘍」が選択されたとする。そして、送信ボタンＢ２０をクリックする。
【００２６】
送信ボタンＢ２０がクリックされた場合、図４に示すように、情報処理端末４０は、ユーザにより選択された疾病名をサーバコンピュータ２０に送信する（ステップＳ２０）。サーバコンピュータ２０では、送信された疾病名を受信し、これを取得する（ステップＳ２２）。
【００２７】
次に、サーバコンピュータ２０は、情報処理端末４０に、データとして保持している一般薬の薬効の一覧を送信する（ステップＳ２４）。
【００２８】
図９は、本実施形態に係る一般薬薬効一覧テーブルＴＢ３０の一例を示す図である。この図９に示す一般薬薬効一覧テーブルＴＢ３０は、サーバコンピュータ２０のハードディスク６４に格納されている。したがって、このステップＳ２４においては、サーバコンピュータ２０は、ハードディスク６４に格納されている一般薬薬効一覧テーブルＴＢ３０を検索し、この一般薬薬効一覧テーブルＴＢ３０に保持されている一般薬の薬効を一覧形式にして、情報処理端末４０に送信する。
【００２９】
次に、図４に示すように、情報処理端末４０では、この一般薬の薬効の一覧を受信し、この受信した一般薬の薬効の一覧を、表示画面７２に表示して、ユーザに顧客が購入しようとしている一般薬の薬効を選択させる（ステップＳ２６）。図１０は、このステップＳ２６で表示画面７２に表示される一般薬薬効一覧画面Ｗ３０の一例を示す図である。この図１０に示すように、この一般薬薬効一覧画面Ｗ３０には、ステップＳ２４で送信された一般薬の薬効の一覧が表示されるので、ユーザは、その中から、顧客が購入しようとしている一般薬の薬効を探し出し、対応する選択ボックスをチェックする。ここでは、例えば、「総合感冒薬」が選択されたとする。そして、送信ボタンＢ３０をクリックする。
【００３０】
送信ボタンＢ３０がクリックされた場合、図４に示すように、情報処理端末４０は、ユーザにより選択された一般薬の薬効をサーバコンピュータ２０に送信する（ステップＳ２８）。サーバコンピュータ２０では、送信された一般薬の薬効を受信し、これを取得する（ステップＳ３０）。
【００３１】
次に、サーバコンピュータ２０は、ステップＳ３０で取得した一般薬の薬効をもたらすための成分を特定する（ステップＳ３２）。具体的には、サーバコンピュータ２０は、図１１に示す一般薬薬効成分テーブルＴＢ４０を検索し、ユーザの選択した一般薬の薬効をもたらすために含まれている可能性のある成分を取得する。この図１１に示す一般薬薬効成分テーブルＴＢ４０は、サーバコンピュータ２０のハードディスク６４に格納されている。また、この一般薬薬効成分テーブルＴＢ４０には、流通している一般薬において、その薬効を有するとして含まれいてる可能性のあるすべての成分名が、最大公約数的に、登録されている。
【００３２】
したがって、このステップＳ３２においては、サーバコンピュータ２０は、ハードディスク６４に格納されている一般薬薬効成分テーブルＴＢ４０を検索し、この一般薬薬効成分テーブルＴＢ４０に保持されている一般薬の薬効に対応する成分名をすべて特定する。
【００３３】
一方、図４に示すように、情報処理端末４０では、ステップＳ２８でユーザの選択した一般薬の薬効を送信した後、副作用チェック要求を、サーバコンピュータ２０に送信する（ステップＳ３４）。
【００３４】
この副作用チェック要求を受信したサーバコンピュータ２０では、ステップ２２で取得された疾病名と、ステップＳ３２で特定した一般薬薬効の成分とに基づいて、副作用テーブルを検索する（ステップＳ３６）。図１２は、本実施形態に係る副作用テーブルＴＢ５０の構成の一例を示す図である。本実施形態においては、この副作用テーブルＴＢ５０には、疾病名と、この疾病名に対して副作用のある成分名とが保持されており、サーバコンピュータ２０のハードディスク６４に格納されている。したがって、ステップＳ３６では、サーバコンピュータ２０は、ステップＳ２２で取得した疾病名と、ステップＳ３２で特定した一般薬の薬効成分に基づいて、副作用テーブルＴＢ５０を検索する。
【００３５】
なお、この図１２から分かるように、この副作用テーブルＴＢ５０には、疾病名と、この疾病に対して副作用のある一般薬の成分とが、対応付けられて格納されている。この副作用のある一般薬の成分は、１つとは限らず、複数存在する場合もある。また、副作用のある一般薬の成分がない疾病については、その疾病自体がこの副作用テーブルＴＢ５０に登録されていない。
【００３６】
次に、図５に示すように、サーバコンピュータ２０は、副作用テーブルＴＢ５０の検索の結果、ステップＳ２２で取得した疾病名が、この副作用テーブルＴＢ５０に存在したかどうかを判断する（ステップＳ５０）。そして、副作用テーブルＴＢ５０に存在した場合（ステップＳ５０：Ｙｅｓ）には、その疾病名に対して副作用のある一般薬の成分として、ステップＳ３２で特定した成分が副作用テーブルＴＢ５０に含まれているかどうかを判断する（ステップＳ５２）。ステップＳ２２で取得した疾病名に対して副作用のある成分名として、ステップＳ３２で特定した成分名が副作用テーブルＴＢ５０に含まれている場合には、サーバコンピュータ２０は、その副作用情報を、情報処理端末４０に送信する（ステップＳ５４）。
【００３７】
先に述べた例を用いて具体的に説明すると、図１１に示すように、「総合感冒薬」の成分の候補には、「アセトアミノフェン」、「アスピリンアルミニウム」、「イブプロフェン」、「マレイン酸クロルフェニラミン」、「リン酸ジヒドロコデイン」及び「トラネキサム酸」がある。このうち、ステップＳ２２で取得した疾病名「胃潰瘍」には、図１２に示すように、「アスピリンアルミニウム」と「アセトアミノフェン」が、副作用のある成分として副作用テーブルＴＢ５０に登録されている。このため、顧客が購入する一般薬の商品によっては、副作用が生じる恐れがある。したがって、副作用情報として、副作用のある可能性がある旨の通知が、情報処理端末４０に送信される。
【００３８】
これを受信した情報処理端末４０では、受信した副作用情報に基づいて、副作用情報表示画面を表示画面７２に表示する（ステップＳ５６）。図１３は、表示画面７２に表示される副作用情報表示画面Ｗ４０の一例を示す図である。この図１３から分かるように、副作用のある可能性がある場合には、「指定された一般薬薬効に含まれる成分には、疾病との関係で副作用のある可能性があります」という表示がされる。
【００３９】
なお、ステップＳ５４において、サーバコンピュータ２０は、ユーザが指定した疾病に対して、ユーザが指定した一般薬薬効に含まれている可能性のある副作用のある成分名が、どのような成分名であるかも、副作用情報として、情報処理端末４０に送信するようにしてもよい。この場合、情報処理端末４０では、図１４に示す副作用情報表示画面Ｗ５０のように、副作用がある旨の表示とともに、どのような成分が副作用を生じさせるのかも、表示することができる。
【００４０】
この副作用情報表示画面Ｗ４０、Ｗ５０が表示された場合、ユーザは、どの一般薬であれば副作用がないのかを調べるために、一般薬提示ボタンＢ４０をクリックする。この一般薬提示ボタンＢ４０がクリックされた場合には、情報処理端末４０は、一般薬提示要求を、サーバコンピュータ２０に送信する（ステップＳ５８）。
【００４１】
この一般薬提示要求をサーバコンピュータ２０が受信した場合には、サーバコンピュータ２０は、副作用のない一般薬を検索する（ステップＳ６２）。すなわち、ステップＳ３０で取得した一般薬薬効を有し、且つ、ステップＳ２２で取得した疾病に対して副作用があるとして副作用テーブルＴＢ５０に登録されている成分名を含んでいない一般薬を、検索する。
【００４２】
図１５は、この際にサーバコンピュータ２０が検索する、一般薬データテーブルＴＢ６０の構成の一例を示す図である。本実施形態においては、この一般薬データテーブルＴＢ６０には、一般薬の薬効と、一般薬の名称と、その一般薬に含まれている成分名とが保持されており、サーバコンピュータ２０のハードディスク６４に格納されている。したがって、ステップＳ６０では、サーバコンピュータ２０は、一般薬データテーブルＴＢ６０を検索し、ユーザが指定した一般薬薬効を有する一般薬の中で、ユーザの指定した疾病に対して副作用のある成分（副作用テーブルＴＢ５０に登録されている成分）を含んでいない一般薬を検索する。
【００４３】
例えば、上述の例では、成分名「アセトアミノフェン」は「胃潰瘍」に対して副作用があるが、成分名「イブプロフェン」は副作用がないので、サーバコンピュータ２０は、図１５の一般薬データテーブルＴＢ６０の中から、名称「カゼ薬Ｂ」の一般薬を選択する。
【００４４】
次に、サーバコンピュータ２０は、検索した結果、見つかった副作用のない一般薬についての情報を情報処理端末４０に送信する（ステップＳ６２）。この情報を受信した情報処理端末４０では、副作用のない一般薬の名称をユーザに提示するために、一般薬表示画面を表示画面７２に表示する（ステップＳ６４）。図１６は、表示画面７２に表示される一般薬表示画面Ｗ６０の一例を示す図である。この図１６に示すように、一般薬表示画面Ｗ６０には、ユーザが選択した一般薬薬効を有する一般薬の中で、ユーザが選択した疾病に対して副作用のある成分を含んでいない一般薬の名称が表示される。この図１６の例では、上述した「カゼ薬Ｂ」が副作用のない一般薬の名称として表示されている。
【００４５】
一方、図５のステップＳ５０で、指定された疾病名が、副作用テーブルＴＢ５０に存在しないと判断した場合（ステップＳ５０：Ｎｏ）、又は、ステップＳ５２で、ユーザの指定した疾病に副作用のある成分として副作用テーブルＴＢ５０に登録されている成分の中に、ユーザが選択した一般薬薬効をもたらす成分が１つも含まれていない場合（ステップＳ５２：Ｎｏ）には、サーバコンピュータ２０は、副作用が無い旨の情報を情報処理端末４０に送信する（ステップＳ６６）。
【００４６】
これを受信した情報処理端末４０では、副作用の無かったことを示す副作用無し情報表示画面を表示画面７２に表示する（ステップＳ６８）。図１７は、表示画面７２に表示される副作用無し情報表示画面Ｗ７０の一例を示す図である。この図１７から分かるように、ユーザが指定した一般薬薬効をもたらす成分の中には、ユーザが指定した疾病に対して副作用をもたらす成分がない場合には、「この疾病に対して、一般薬の副作用情報はありません」と表示される。
【００４７】
このステップＳ６８の後、情報処理端末４０は、これで本サービスを終了してよいかどうかをユーザに選択させ（ステップＳ７０）、ユーザが本サービスの終了を選択した場合（ステップＳ７０：Ｙｅｓ）には、情報処理端末４０はこの処理を終了する。一方、ユーザが本サービスの継続を選択した場合（ステップＳ７０：Ｎｏ）には、図４のステップＳ１８からを繰り返す。
【００４８】
以上のように、本実施形態に係る薬の副作用情報提供システム１０によれば、ユーザは、顧客が必要としている薬効を有する一般薬に、顧客の疾病に対して副作用がある成分が含まれている可能性のある一般薬が存在するのかどうかを、容易に調べることができる。さらに、ユーザは、顧客が必要としている薬効を有する一般薬の中で、顧客の疾病に対して副作用のない一般薬が、どの商品であるのかを、容易に検索することができる。
【００４９】
なお、本発明は上記実施形態に限定されず種々に変形可能である。例えば、上述した実施形態では、サーバコンピュータ２０は、副作用情報情報や副作用の無い一般薬についての情報、副作用無し情報を、情報処理端末４０に送信することにより、出力することとしたが、プリントアウトする等の他の出力形態であってもよい。この場合、サーバコンピュータ２０は、これらの必要な情報を、ユーザ側に設けられているプリンタにプリントアウトすればよい。
【００５０】
また、上述の実施形態で説明した処理については、この処理を実行するためのプログラムをフレキシブルディスク、ＣＤ−ＲＯＭ（Compact Disc-Read Only Memory）、ＲＯＭ、メモリカード等の記録媒体に記録して、記録媒体の形で頒布することが可能である。この場合、この記録媒体に記録されたプログラムをサーバコンピュータ２０や情報処理端末４０に読み込ませ、実行させることにより、上述した実施形態を実現することができる。
【００５１】
また、サーバコンピュータ２０や情報処理端末４０は、オペレーティングシステムや別のアプリケーションプログラム等の他のプログラムを備える場合がある。この場合、サーバコンピュータ２０や情報処理端末４０の備える他のプログラムを活用するために、そのサーバコンピュータ２０や情報処理端末４０が備えるプログラムの中から、上述した実施形態と同等の処理を実現するプログラムを呼び出すような命令を含むプログラムを、記録媒体に記録するようにしてもよい。
【００５２】
さらに、このようなプログラムは、記録媒体の形ではなく、ネットワークを通じて搬送波として頒布することも可能である。ネットワーク上を搬送波の形で伝送されたプログラムは、サーバコンピュータ２０や情報処理端末４０に取り込まれて、このプログラムを実行することにより上述した実施形態を実現することができる。
【００５３】
また、記録媒体にプログラムを記録する際や、ネットワーク上を搬送波として伝送される際に、プログラムの暗号化や圧縮化がなされている場合がある。この場合には、これら記録媒体や搬送波からプログラムを読み込んだサーバコンピュータ２０や情報処理端末４０は、そのプログラムの復号や伸張を行った上で、実行する必要がある。
【図面の簡単な説明】
【００５４】
【図１】本実施形態に係る薬の副作用情報提供システムの全体構成の一例を説明するブロック図。
【図２】本実施形態に係るサーバコンピュータの内部構成の一例を説明するブロック図。
【図３】本実施形態に係る情報処理端末の内部構成の一例を説明するブロック図。
【図４】本実施形態に係るサーバコンピュータ及び情報処理端末で実行される副作用検索のための処理の一例を説明する図（その１）。
【図５】本実施形態に係るサーバコンピュータ及び情報処理端末で実行される副作用検索のための処理の一例を説明する図（その２）。
【図６】情報処理端末に表示されるメイン画面の一例を示す図。
【図７】サーバコンピュータが保持する疾病名一覧テーブルの構成の一例を示す図。
【図８】情報処理端末に表示される疾病名一覧画面の一例を示す図。
【図９】サーバコンピュータが保持する一般薬薬効一覧テーブルの構成の一例を示す図。
【図１０】情報処理端末に表示される一般薬薬効一覧画面の一例を示す図。
【図１１】サーバコンピュータが保持する一般薬薬効成分テーブルの構成の一例を示す図。
【図１２】サーバコンピュータが保持する副作用テーブルの構成の一例を示す図。
【図１３】情報処理端末に表示される副作用情報表示画面の一例を示す図。
【図１４】情報処理端末に表示される副作用情報表示画面の別の例を示す図。
【図１５】サーバコンピュータが保持する一般薬テーブルの構成の一例を示す図。
【図１６】情報処理端末に表示される一般薬表示画面の一例を示す図。
【図１７】情報処理端末に表示される副作用無し情報表示画面の一例を示す図。
【符号の説明】
【００５５】
１０  薬の副作用情報提供システム
２０  サーバコンピュータ
３０  ネットワーク
４０  情報処理端末
５０  本体部
５２  表示画面
５４  ＣＰＵ
５６  ＲＡＭ
５８  ＲＯＭ
６０  内部バス
６２、６６  インターフェース
６４  ハードディスク
７０  本体部
７２  表示画面
７４  ＣＰＵ
７６  ＲＡＭ
７８  ＲＯＭ
８０  内部バス
８２、８６  インターフェース
８４  ハードディスク
【図１】
2006215973.tif 000003
【図２】
2006215973.tif 000004
【図３】
2006215973.tif 000005
【図４】
2006215973.tif 000006
【図５】
2006215973.tif 000007
【図６】
2006215973.tif 000008
【図７】
2006215973.tif 000009
【図８】
2006215973.tif 000010
【図９】
2006215973.tif 000011
【図１０】
2006215973.tif 000012
【図１１】
2006215973.tif 000013
【図１２】
2006215973.tif 000014
【図１３】
2006215973.tif 000015
【図１４】
2006215973.tif 000016
【図１５】
2006215973.tif 000017
【図１６】
2006215973.tif 000018
【図１７】
2006215973.tif 000019